(57)【要約】【課題】基板への取り付け構造が簡単な指示計器を提供する。【解決手段】計器本体９を指針軸の長さ方向へ分割して第１本体１・第２本体２とし、指針軸を第１本体１の内部の第１指針軸１３と第２本体２に回転自在に支持された第２指針軸３とに着脱自在に分割し、第２指針軸３を基板１０に貫通させて第１指針軸１３に結合させた状態で、第１本体１と第２本体２とが基板１０を挟んだ状態で、基板１０を貫通するボルト６を介してフランジ部１ａとフランジ部２ａとを結合することにより、計器本体９を基板１０に取り付けるように構成する。【選択図】  図１
2004317129.tif 000002
【特許請求の範囲】
【請求項１】
計器本体と、当該計器本体に対して回転する指針軸と、当該指針軸の先端に取り付ける指針と、で構成される指示計器において、
前記計器本体を前記指針軸の長さ方向へ分割して第１本体・第２本体とし、前記第１本体と前記第２本体とが基板を挟んだ状態で、前記第１本体と前記第２本体とを結合することにより、計器本体を基板に取り付けるようにしたことを特徴とする指示計器。
【請求項２】
請求項１に記載の指示計器において、
前記第１本体と前記第２本体とにフランジ部を夫々設け、基板を貫通する複数のボルトを介して前記フランジどうしを結合することで、前記第１本体と前記第２本体とを結合するようにしたことを特徴とする指示計器。
【請求項３】
請求項２に記載の指示計器において、
前記指針軸を第１指針軸と第２指針軸とに着脱自在に分割し、前記第１指針軸は前記第１本体に設けると共に前記第２指針軸は前記第２本体に回転自在に支持し、前記第２指針軸を基板に形成した孔に貫通させて前記第１指針軸に結合させた状態で、前記第１本体と前記第２本体とを結合するようにしたことを特徴とする指示計器。
【発明の詳細な説明】
【０００１】
【発明の属する技術分野】
本発明は、基板への取り付けが容易な構造の指示計器に関する。
【０００２】
【従来の技術】
配電盤や制御盤には、電流や電圧の値を表示するアナログメータとしての指示計器が取り付けられている。
【０００３】
従来の指示計器は、基板の裏側に本体保持部を介して計器本体を取り付け、計器本体における指針軸を基板に貫通させて基板の表側に突出させ、更に当該指針軸に文字盤を挿通させた状態で、当該指針軸の先端に指針を取り付けて構成されている（例えば、特許文献１参照。）。
【０００４】
【特許文献１】
特開２００１−６６１６５号公報（図２）
【０００５】
【発明が解決しようとする課題】
ところが、基板の裏側に、指示計器とは別個に設けた本体保持部を装着しなければならず、基板への指示計器の取付構造が複雑である。
【０００６】
そこで本発明は、前記課題を解決した指示計器を提供することを目的とする。
【０００７】
【課題を解決するための手段】
請求項１に係る指示計器の構成は、計器本体と、当該計器本体に対して回転する指針軸と、当該指針軸の先端に取り付ける指針と、で構成される指示計器において、前記計器本体を前記指針軸の長さ方向へ分割して第１本体・第２本体とし、前記第１本体と前記第２本体とが基板を挟んだ状態で、前記第１本体と前記第２本体とを結合することにより、計器本体を基板に取り付けるようにしたことを特徴とする。
【０００８】
このような指示計器では、第１本体と第２本体とが基板を挟んだ状態で計器本体を基板に取り付けることができるので、取り付け構造が簡単であり、別個に取り付け用の部材を必要としない。
【０００９】
請求項２に係る指示計器の構成は、請求項１に記載の指示計器において、前記第１本体と前記第２本体とにフランジ部を夫々設け、基板を貫通する複数のボルトを介して前記フランジどうしを結合することで、前記第１本体と前記第２本体とを結合するようにしたことを特徴とする。
【００１０】
請求項３に係る指示計器の構成は、請求項２に記載の指示計器において、前記指針軸を第１指針軸と第２指針軸とに着脱自在に分割し、前記第１指針軸は前記第１本体に設けると共に前記第２指針軸は前記第２本体に回転自在に支持し、前記第２指針軸を基板に形成した孔に貫通させて前記第１指針軸に結合させた状態で、前記第１本体と前記第２本体とを結合するようにしたことを特徴とする。
【００１１】
【発明の実施の形態】
以下、本発明による指示計器の実施の形態を説明する。
【００１２】
図１に指示計器を基板に取り付ける途中の分解図を示し、図２に指示計器を基板に取り付けた後の構成図を示し、図３に指示計器の原理図を示す。
【００１３】
図３に示すように、指示計器９は、大きく分けて第１本体１と第２本体２とで構成されている。第１本体１の内部は以下のように構成されている。一対の軸受１２を介して第１指針軸１３が回転自在に支持され、第１指針軸１３にはコイル１４が取り付けられている。そして、コイル１４を囲むようにして永久磁石１５が設けられている。１６は端子であり、端子１６は図示しないブラシを介してコイル１４に接続されている。このほか、第１指針軸１３と固定部との間には、図示しないゼンマイばねが設けられている。
【００１４】
一方、第２本体２の内部は以下のように構成されている。第２本体２を貫通する第２指針軸３が、図示しない軸受により回転自在かつスラストしないように支持されている。第２指針軸３は、第１指針軸１３に対して着脱自在に構成されている。即ち、第１指針軸１３の上端には正方形断面の凹部１３ｂが形成され、第２指針軸３の下端には当該凹部１３ｂに嵌合される正方形断面の凸部３ａが形成されている。そして、第２指針軸３の上端には、指針４と、キャップ８とが取り付けられている。第２本体２における指針４を取り付けた面には文字盤５が取り付けられ、文字盤５と指針４とを覆うようにして透明カバー２ｂが設けられている。
【００１５】
端子１６から指示計器９に電流が供給されると、コイル１４に電流が流れて磁界が発生し、コイル１４と永久磁石１５との間に働く電磁力により第１指針軸１３・第２指針軸３が図示しないゼンマイばねの付勢力に抗して回転し、ゼンマイばねの付勢力とつりあった位置で指針４が停止する。そこで、指針４の占める位置を文字盤５から読み取ることができる。
【００１６】
第１本体１と第２本体２とを結合することで計器本体９が構成されるようになっており、第１本体１・第２本体２における接合部には夫々フランジ部１ａ，２ａが形成されている。第１本体１および透明カバー２ｂの部分の形状が円形であるのに対し、フランジ部１ａ，２ａは正方形の形状となっている。フランジ部２ａの四隅の下面には夫々おねじ６の一端が固着される一方、フランジ部１ａにはおねじ６と対応する位置に貫通孔７が形成されている。
【００１７】
計器本体９を基板１０に取り付ける場合には、基板１０に、おねじ６を挿通するための４つの孔１０ａと、第２指針軸３を挿通するための孔１０ｂとの合計で５つの孔を形成する。そして、図１のように孔１０ａ，１０ｂにおねじ６，第２指針軸３を挿通させ、その後におねじ６を貫通孔７に挿入すると共に第２指針軸３の凸部３ａを第１指針軸１３の凹部１３ｂに嵌合する。次に、おねじ６にナット１１をねじ込むことにより、基板１０を挟んだ状態で第１本体１と第２本体２とを結合する。これにより、計器本体９が基板１０に取り付けられたことになる。
【００１８】
なお、実施の形態では、おねじをフランジ部２ａに固着したが、フランジ部１ａにおねじを固着してフランジ部２ａに孔を形成するようにしてもよい。また、第１本体・透明カバー２ｂの形状を円形とし、フランジ部の形状を正方形とした場合を示したが、双方を共に四角形にしたり、形状は任意に選択できる。
【００１９】
【発明の効果】
以上の説明からわかるように、本発明による指示計器によれば、計器本体を指針軸の長さ方向へ分割して第１本体・第２本体とし、第１本体と第２本体とが基板を挟んだ状態で、第１本体のフランジ部と第２本体のフランジ部とを結合することにより、計器本体を基板に取り付けるので、指示計器の基板への取り付け構造が簡単である。また、指針軸を第１指針軸と第２指針軸とに分割して着脱自在に結合し、基板を貫通するボルトを介してフランジ部どうしを結合するので、基板には本体を挿入する大きな孔を形成することなく、ねじ孔等の小さな孔の加工だけで済み、指示計器を取り付ける際の労力が少なくてすむ。
【図面の簡単な説明】
【図１】本発明による指示計器の実施の形態を示す分解図。
【図２】本発明による指示計器の実施の形態を示す組立図。
【図３】本発明による指示計器の実施の形態を示す取り付け前の構成図。
【符号の説明】
１…第１本体
２…第２本体
３…第２指針軸
４…指針
９…計器本体
１０…基板
１０ａ，１０ｂ…孔
１３…第１指針軸
【図１】
2004317129.tif 000003
【図２】
2004317129.tif 000004
【図３】
2004317129.tif 000005